(57)【要約】【課題】駆動軸の偏心部に支持されて揺動するリンクの揺動支点位置を変更することにより揺動カムの揺動量を変更してバルブリフト特性を可変とするエンジンの可変動弁装置において、偏心部周辺の動作スペースを小さくするよう駆動軸の偏心部をクランク状に形成するとともに、駆動軸を軸方向に分割した構成とし、且つ、可変動弁装置を効率良く組み立てられるようにする。【解決手段】インプットシャフト１（駆動軸）を各気筒に対応して偏心ピン部２と両側の軸部１１，１２とを有する軸方向に分割した複数の駆動軸分割体を含む分割構造とし、隣接する駆動軸分割体（１ａ〜１ｃ）同士を連結する嵌合部１１ａ，１１ｂ，１２ｂ，１２ｃをトルク伝達可能な雄雌嵌合構造とし、雌部側の嵌合部１２ｂ，１２ｃ上にアウトプットカム３を支持する。【選択図】図９
2009085153.tif 000002
【特許請求の範囲】
【請求項１】
複数の気筒を列状に配置したエンジンのクランク軸方向に沿って配設された駆動軸に各気筒に対応して偏心ピン部を設けるとともに該駆動軸上に各気筒に対応してバルブリフト駆動用の揺動カムを回転自在に支持し、前記偏心ピン部にピン部リンクを回転自在に支持し、前記駆動軸と平行に各気筒に対応してコントロールアームを有するコントロール軸を配置し、前記コントロールアームと前記ピン部リンクとを前記駆動軸の回転に伴う前記ピン部リンクの動作を規制して該ピン部リンクを揺動させるようコントロールアームリンクで連結し、前記ピン部リンクと前記揺動カムとを前記駆動軸の回転に伴う前記ピン部リンクの揺動に連動して前記揺動カムが揺動するよう連結リンクで連係させ、前記コントロール軸を回動させて前記コントロールアームの位置を変更することにより、前記ピン部リンクの揺動支点位置を変更して前記揺動カムの揺動量を変え、少なくともバルブリフト特性を可変とするエンジンの可変動弁装置であって、
前記駆動軸が各気筒に対応して前記偏心ピン部とその両側の軸部とを有する軸方向に分割した複数の駆動軸分割体を含む分割構造とされ、隣接する駆動軸分割体同士を連結する嵌合部がトルク伝達可能な雄雌嵌合構造とされて、前記偏心ピン部とその両側の軸部とを有する軸方向に分割した複数の駆動軸分割体の嵌合部の雌部上に前記揺動カムが支持されていることを特徴とするエンジンの可変動弁装置。
【請求項２】
当該エンジンは前記揺動カムによりリフト駆動されるバルブを各気筒に２つ有し、前記揺動カムは、円筒部の両側に気筒毎の各バルブに対応したカム部を一体に有し、前記円筒部にてエンジン本体に軸受けされている請求項１記載のエンジンの可変動弁装置。
【請求項３】
当該エンジンは少なくとも３気筒を有し、前記駆動軸は少なくとも四つの駆動軸分割体で構成され、該駆動軸分割体の内の少なくとも２つの駆動軸分割体は嵌合部に気筒間で位相差を持たせるよう係合位置を複数段に選択可能な凹凸係合部を有する同一構造のものである請求項１または２記載のエンジンの可変動弁装置。
【請求項４】
複数の気筒を列状に配置したエンジンのクランク軸方向に沿って配設された駆動軸に各気筒に対応して偏心ピン部を設けるとともに該駆動軸上に各気筒に対応してバルブリフト駆動用の揺動カムを回転自在に支持し、前記偏心ピン部にピン部リンクを回転自在に支持し、前記駆動軸と平行に各気筒に対応してコントロールアームを有するコントロール軸を配置し、前記コントロールアームと前記ピン部リンクとを前記カム駆動軸の回転に伴う前記ピン部リンクの動作を規制して該ピン部リンクを揺動させるようコントロールアームリンクで連結し、前記ピン部リンクと前記揺動カムとを前記駆動軸の回転に伴う前記ピン部リンクの揺動に連動して前記揺動カムが揺動するよう連結リンクで連係させるよう構成され、前記駆動軸が各気筒に対応して前記偏心ピン部とその両側の軸部とを有する軸方向に分割した複数の駆動軸分割体を含む分割構造とされ、隣接する駆動軸分割体同士を連結する嵌合部がトルク伝達可能な雄雌嵌合構造とされて、前記偏心ピン部とその両側の軸部とを有する軸方向に分割した複数の駆動軸分割体の嵌合部の雌部上に前記揺動カムが支持され、前記コントロール軸を回動させて前記コントロールアームの位置を変更することにより、前記ピン部リンクの揺動支点位置を変更して前記揺動カムの揺動量を変え、少なくともバルブリフト特性を可変とするエンジンの可変動弁装置の組立て方法であって、
予め各気筒に対応する前記偏心ピン部とその両側の軸部とを有する軸方向に分割した複数の駆動軸分割体の嵌合部の雌部上に前記揺動カムを支持するとともに前記偏心ピン部に前記ピン部リンクを支持してサブアッセンブリを形成し、それらサブアッセンブリを前記駆動軸分割体同士の嵌合部にて連結することを特徴とするエンジンの可変動弁装置の組立て方法。
【発明の詳細な説明】
【技術分野】
【０００１】
本発明は、バルブリフト特性を可変とするエンジンの可変動弁装置およびその組立て方法に関する。
【背景技術】
【０００２】
エンジンのクランク軸方向に沿って配設された駆動軸に偏心部を構成する円形偏心カムを設け、駆動軸上にバルブリフト駆動用の揺動カムを回転自在に支持し、円形偏心カムに回転自在にオフセットカムリンクを外嵌めし、駆動軸と平行にコントロールアームを有するコントロール軸を配置し、コントロールアームとオフセットカムリンクとを駆動軸の回転に伴うオフセットカムリンクの動作を規制してオフセットカムリンクを揺動させるようコントロールアームリンクで連結し、オフセットカムリンクと揺動カムとを駆動軸の回転に伴うオフセットカムリンクの揺動に連動して揺動カムが揺動するよう連結リンクで連係させ、コントロール軸を回動させてコントロールアームの位置を変更することにより、オフセットカムリンクの揺動支点位置を変更し、揺動カムの揺動量を変えて、バルブリフト特性を可変とするエンジンの可変動弁装置が従来から知られている。
【０００３】
しかし、このように駆動軸の偏心部が円形偏心カムで構成されたものでは、オフセットカムリンクを駆動軸の一端側から通して円形偏心カムに外嵌する必要があって、円形偏心カムの外径が大きくなるため、オフセットカムリンクを含む偏心部周辺の動作スペースが大きくなり、しかも、その動作スペースが大きい割には偏心量が小さくて、偏心量を大きくしようとすれば、偏心カムが大きくなり、オフセットカムリンクが大きくなり、動作スペースが大きくなって、装置全体が大型化する。また、小型化を図るために偏心カムを小さくすると、偏心量が小さくなって、揺動カムの揺動角が小さくなり、例えば吸気バルブに適用した場合に、一層の吸気早閉じを実現してポンピングロスを低減し、燃費を効果的に改善するための狭角リフト化、すなわち、小さい開弁角（駆動軸の回転角）で大きなバルブリフト量が得られるようにすることが困難となる。
【０００４】
そこで、駆動軸の偏心部をクランク状に形成して、駆動軸の軸心に対して偏心しかつ平行に延びる偏心ピン部を設け、駆動リンク（ピン部リンク）を分割構造として偏心ピン部に外嵌めするようにしたエンジンの可変動弁装置が提案されている（例えば、特許文献１参照。）。このように駆動軸の偏心部をクランク状に形成すると、偏心部が偏心カムで構成されている場合に比べて動作スペースが小さくてすみ、省スペースで大きな偏心量が得られるようになる。
【０００５】
【特許文献１】特開２００５−２９１００７号公報
【発明の開示】
【発明が解決しようとする課題】
【０００６】
上記のように、駆動軸の偏心部をクランク状に形成することで、偏心量を小さくすることなく偏心部周辺の動作スペースを小さくすることができ、省スペース化並びに狭角リフト化が可能となる。しかし、駆動軸の偏心部をクランク状に形成すると、特に多気筒エンジンの場合に、駆動軸を軸方向に分割しないと、駆動軸上に一体物の揺動カムを組み付けることができない。しかし、駆動軸を軸方向に分割するといても、分割の態様によっては、可変動弁装置の組付け性が悪くなる。揺動カムを２つの半割部からなる分割構造とすることも可能であるが、揺動カムは可能な限り一体物とするのが好ましい。
【０００７】
したがって、駆動軸の偏心部に支持されて揺動するリンクの揺動支点位置を変更することにより揺動カムの揺動量を変更してバルブリフト特性を可変とするエンジンの可変動弁装置において、偏心部周辺の動作スペースを小さくするよう駆動軸の偏心部をクランク状に形成するとともに、駆動軸を軸方向に分割した構成とし、且つ、可変動弁装置を効率良く組み立てられるようにすることが課題である。
【課題を解決するための手段】
【０００８】
本発明は、複数の気筒を列状に配置したエンジンのクランク軸方向に沿って配設された駆動軸に各気筒に対応して偏心ピン部を設けるとともに該駆動軸上に各気筒に対応してバルブリフト駆動用の揺動カムを回転自在に支持し、偏心ピン部にピン部リンクを回転自在に支持し、駆動軸と平行に各気筒に対応してコントロールアームを有するコントロール軸を配置し、コントロールアームとピン部リンクとを駆動軸の回転に伴うピン部リンクの動作を規制してピン部リンクを揺動させるようコントロールアームリンクで連結し、ピン部リンクと揺動カムとを駆動軸の回転に伴うピン部リンクの揺動に連動して揺動カムが揺動するよう連結リンクで連係させ、コントロール軸を回動させてコントロールアームの位置を変更することにより、ピン部リンクの揺動支点位置を変更して揺動カムの揺動量を変え、少なくともバルブリフト特性を可変とするエンジンの可変動弁装置であって、駆動軸が各気筒に対応して偏心ピン部とその両側の軸部とを有する軸方向に分割した複数の駆動軸分割体を含む分割構造とされ、隣接する駆動軸分割体同士を連結する嵌合部がトルク伝達可能な雄雌嵌合構造とされて、偏心ピン部とその両側の軸部とを有する軸方向に分割した複数の駆動軸分割体の嵌合部の雌部上に揺動カムが支持されているよう構成したエンジンの可変動弁装置を提供するものである。
【０００９】
このようにエンジンの可変動弁装置を構成することで、駆動軸の偏心部と連係されるリンクの回転軌跡範囲を小さくしながら、予め平行生産で駆動軸分割体に気筒単位のリンク機構を組み付けてサブアッセンブリとしたものを、位相差を付けて嵌め合わせることで可変動弁装置を組付けることができ、組付け効率が向上する。
【００１０】
そして、この可変動弁装置は、エンジンが揺動カムによりリフト駆動されるバルブを各気筒に２つ有する場合に、揺動カムを、円筒部の両側に気筒毎の各バルブに対応したカム部を一体に有し、円筒部にてエンジン本体に軸受けされているよう構成するのがよい。
【００１１】
このように構成することで、駆動軸分割体の嵌合部に作用するバルブ反力を駆動軸のための軸受け部材で支持でき、しかも、２つのバルブに対応した揺動カムの間の広い幅寸法の範囲で支持でき、軸線方向における駆動軸の支持の安定化を図れる。
【００１２】
また、この可変動弁装置は、エンジンが少なくとも３気筒を有する場合に、駆動軸が少なくとも四つの駆動軸分割体で構成され、該駆動軸分割体の内の少なくとも２つの駆動軸分割体は嵌合部に気筒間で位相差を持たせるよう係合位置を複数段に選択可能な凹凸係合部を有する同一構造のものであるよう構成するのがよい。
【００１３】
このように構成することで、同一構造の駆動軸分割体を複数気筒に対応して共通に利用できる。
【００１４】
また、本発明は、複数の気筒を列状に配置したエンジンのクランク軸方向に沿って配設された駆動軸に各気筒に対応して偏心ピン部を設けるとともに該駆動軸上に各気筒に対応してバルブリフト駆動用の揺動カムを回転自在に支持し、偏心ピン部にピン部リンクを回転自在に支持し、駆動軸と平行に各気筒に対応してコントロールアームを有するコントロール軸を配置し、コントロールアームとピン部リンクとをカム駆動軸の回転に伴うピン部リンクの動作を規制してピン部リンクを揺動させるようコントロールアームリンクで連結し、ピン部リンクと揺動カムとを駆動軸の回転に伴うピン部リンクの揺動に連動して揺動カムが揺動するよう連結リンクで連係させるよう構成され、駆動軸が各気筒に対応して偏心ピン部とその両側の軸部とを有する軸方向に分割した複数の駆動軸分割体を含む分割構造とされ、隣接する駆動軸分割体同士を連結する嵌合部がトルク伝達可能な雄雌嵌合構造とされて、偏心ピン部とその両側の軸部とを有する軸方向に分割した複数の駆動軸分割体の嵌合部の雌部上に揺動カムが支持され、コントロール軸を回動させてコントロールアームの位置を変更することにより、ピン部リンクの揺動支点位置を変更して揺動カムの揺動量を変え、少なくともバルブリフト特性を可変とするエンジンの可変動弁装置の組立て方法であって、予め各気筒に対応する偏心ピン部とその両側の軸部とを有する軸方向に分割した複数の駆動軸分割体の嵌合部の雌部上に揺動カムを支持するとともに偏心ピン部にピン部リンクを支持してサブアッセンブリを形成し、それらサブアッセンブリを駆動軸分割体同士の嵌合部にて連結することを特徴とするエンジンの可変動弁装置の組立て方法を提供する。
【００１５】
このようにして予め駆動軸分割体に気筒単位のリンク機構を組み付けてサブアッセンブリとしたものを、駆動軸分割体同士の嵌合部にて嵌め合わせることで、容易に可変動弁装置を組付けることができ、組付け効率が向上する。また、サブアッセンブリを平行生産でき、生産性が向上する。
【発明の効果】
【００１６】
本発明によれば、駆動軸の偏心部に支持されて揺動するリンクの揺動支点位置を変更することにより揺動カムの揺動量を変更してバルブリフト特性を可変とするエンジンの可変動弁装置において、偏心部周辺の動作スペースを小さくするよう駆動軸の偏心部をクランク状に形成するとともに、駆動軸を軸方向に分割した構成とし、且つ、可変動弁装置を効率良く組み立てられるようにすることができる。
【発明を実施するための最良の形態】
【００１７】
図１〜図９は本発明の実施形態の一例のエンジンの可変動弁装置を示している。図１は可変動弁装置の１気筒対応分の斜視図、図２は可変動弁装置の全体斜視図、図３はインプットシャフトの斜視図、図４はインプットシャフトの展開斜視図、図５はインプットシャフトアッシーの部品群を示すもので、インプットシャフトフロントの斜視図（ａ）、インプットミドルの斜視図（ｂ）、アウトプットカムの斜視図（ｃ）、図６はコンロッドアッシーの部品群を示すもので、コンロッドの斜視図（ａ）、コンロッドキャップの斜視図（ｂ）、ブッシュの斜視図（ｃ）、半割りメタルの斜視図（ｄ）、ボルトの斜視図（ｅ）、図７はコントロールシャフトアッシーの部品群を示すもので、コントロールシャフトの斜視図（ａ）、コントロールアームリンクアッシーの斜視図（ｂ）、コントロールアームピンの斜視図（ｃ）、図８はその他の部品群を示すもので、コンロッドピンの斜視図（ａ）、ｅリングの斜視図（ｂ）、カムシャフトリンクアッシーの斜視図（ｃ）、図９は可変動弁装置のエンジンに組み付けた状態の断面図である。
【００１８】
この実施形態のエンジンは、直列４気筒の自動車駆動用エンジンで、気筒毎に２つの吸気弁（図示せず）と２つの排気弁（図示せず）を有している。そして、吸気弁のバルブリフト特性を可変とする可変動弁装置と備えている。
【００１９】
このエンジンの可変動弁装置は、クランク軸方向に沿って配設された駆動軸であるインプットシャフト（インプットシャフトアッシー）１に、各気筒に対応して偏心ピン部２を設けるとともに該インプットシャフト１上に各気筒に対応してバルブリフト駆動用の揺動カムであるアウトプットカム３を回転自在に支持し、偏心ピン部２にピン部リンクであるコンロッド（コンロッドアッシー）４を回転自在に支持し、カムシャフト１と平行に、各気筒に対応してコントロールアーム５を有するコントロールシャフト（コントロール軸）６を配置し、コントロールアーム５とコンロッド４とをカムシャフト１の回転に伴うコンロッド４の動作を規制してコンロッド４を揺動させるようコントロールアームリンク（コントロールリンクアッシー）７で連結し、コンロッド４とアウトプットカム３とをインプットシャフト１の回転に伴うコンロッド４の揺動に連動してアウトプットカム３が揺動するよう連結リンクであるカムシャフトリンク（カムシャフトリンクアッシー）８で連係させ、コントロールシャフト６を回動させてコントロールアーム５の位置を変更することにより、コンロッド４の揺動支点位置を変更してアウトプットカム３の揺動量を変え、バルブリフト特性を可変とするよう構成されている。なお、コントロールシャフト６は、カムキャリア２２に対し、図１に示すように隣接する気筒のコントロールアーム５の間で軸受キャップ２３により回動可能に支持され、また、図示されていないが、軸方向両端側で回動可能に支持されている。
【００２０】
インプットシャフト１は、各気筒に対応して偏心ピン部２と、その両側の軸部１１，１２とを有する軸方向に分割した複数の駆動軸分割体を含む分割構造とされている。すなわち、インプットシャフト１は、１本のインプットシャフトフロント１ａと、３本のインプットシャフトミドル１ｂと、１本のインプットシャフトエンド１ｃとの五つの駆動軸分割体で構成されている。そして、それら五つの駆動軸分割体（１ａ，１ｂ，１ｂ，１ｂ．１ｃ）は、隣接する駆動軸分割体同士を連結する嵌合部１１ａ，１１ｂ，１２ｂ，１２ｃがトルク伝達可能な雄雌嵌合構造とされ、該嵌合部上にアウトプットカム３が支持され、該アウトプットカム３がシリンダヘッド２１とカムキャリア２２に軸受けされている。上記嵌合部１１ａ，１１ｂ，１２ｂ，１２ｃは、各駆動軸分割体の各一方の嵌合部１１ａ，１１ｂが雄部であり、各他方の嵌合部１２ｂ，１２ｃが雌部である。各気筒に対応する四つのアウトプットカム３は、偏心ピン部２とその両側の軸部１１，１２とを有する３本のインプットシャフトミドル１ｂと、１本のインプットシャフトエンド１ｃの雌部である嵌合部１２ｂ，１２ｃ上に支持されている。
【００２１】
アウトプットカム３は、円筒部３０の両側に気筒毎の各バルブに対応したカム部３１，３２を一体に有し、一方のカム部３１の径方向外方延設部３３にリンク連結用のピン部３４が軸方向外方に向け突設されたもので、円筒部３０にてシリンダヘッド２１とカムキャリア２２に軸受けされている。
【００２２】
３本のインプットシャフトミドル１ｂは、嵌合部１１ａ，１１ｂ，１２ｂ，１２ｃに気筒間で位相差を持たせるよう係合位置を複数段に選択可能な凹凸係合部（セレーション）を有する同一構造のものである
【００２３】
コンロッド４は、インプットシャフト１の偏心ピン部２側の端部が偏心ピン部２に外嵌可能なよう、本体側部材４１と半割りキャップ部材４２との分割構造で、半割りキャップ部材４２をボルト締結することで偏心ピン部２に支持されるよう構成されている。
【００２４】
コントロールシャフト６には各気筒に対応してコントロールアーム５が間隔をおいて各一対設けられている。
【００２５】
コントロールアームリンク７は、コントロールアーム５に対する連結部が一対のコントロールアーム５，５の間に嵌まり込む筒部７１を構成して該筒部７１で第１の一軸ピンであるコントロールアームピン１３により一対のコントロールアーム５，５に連結されるとともに、コンロッド４に対する連結部が二又脚部７２を構成して該二又脚部７２でコンロッド４を挟んで第２の一軸ピンであるコンロッドピン１４によりコンロッド４に連結されている。
【００２６】
コンロッドピン１４には、アウトプットカム３側に延長された延長ピン部１４ａが設けられている。そして、この延長ピン部１４ａにカムシャフトリンク８が支持されている。
【００２７】
カムシャフトリンク８は、インプットシャフト３の軸線と直交する方向において各気筒に対応する一対のコントロールアーム５，５の一方と重なる位置に設けられている。
【００２８】
各一対のコントロールアーム５，５は、インプットシャフト１の回転に伴い、偏心ピン部２に支持されたコンロッド４の一端側がインプットシャフト１の軸心の周りを公転するときに、このコンロッド４の動作を規制して、その他端部を往復運動させ、これにより、コンロッド４の他端部にコンロッドピン１４を介して連結されたカムシャフトリンク８がアウトプットカム３を揺動させる。
【００２９】
コントロールシャフト６を回動させると、コントロールアーム５，５の位置が変わり、それにより、コンロッド４の他端部の往復運動の軌跡、即ちカムシャフトリンク８の揺動軌跡が変更され、これによりアウトプットカム３の揺動角等が変化して、バルブのリフト量や作動角などのリフト特性が変化する。コントロールシャフト６は、周知のように、シャフト端部あるいは中央部でモータ駆動して回転させる。
【００３０】
この可変動弁装置を構成する部品は、図８に示すとおりで、４気筒分で、インプットシャフトフロント１ａが１本、インプットシャフトミドル１ｂが３本、インプットシャフトエンド１ｃ（インプットシャフトミドル１ｂと同じもの）が１本、アウトプットカム３が４個、コントロールシャフト６が１本、コンロッド４の本体部材が４個、コンロッドキャップ４２が４個、ブッシュ４３が４個、半割りメタル４４が８個、ボルト４５が８本、コントロールアームリンク７が４個、コントロールアームピン１３が４個、コンロッドピン１４が４個、カムシャフトリンク８が４個、ｅリング（留め輪）１５が８個等である。
【００３１】
この可変動弁装置の組み付け手順は次のとおりである。
（気筒単位のサブアッシー手順）
１．各気筒に対応する偏心ピン部２とその両側の軸部１１，１２とを有する３本のインプットシャフトミドル１ｂと、１本のインプットシャフトエンド１ｃの偏心ピン部２に、半割りメタル４４を介してコンロッド４の本体部分とコンロッドキャップ４２を取り付け、ボルト４６で組付ける。
２．各コンロッド４にブッシュ４３を嵌めた後に、コントロールアームリンク７の二又脚部７２をあわせ、コンロッドピン１４を差し込む。
３．インプットシャフトミドル１ｂと、インプットシャフトエンド１ｃの雌部である嵌合部１２ｂ、１２ｃ上にそれぞれアウトプットカム３を支持し、そのピン部３４にカムシャフトリンク８を差し込む。
４．カムシャフトリンク８をアウトプットカム３のピン部３４を中心に回転させて、コンロッドピン１４を後退させ、カムシャフトリンク８の穴に再度コンロッドピン１４を差し込む。
５．カムシャフトリンク８の穴に差し込んだコンロッドピン１４の先端をｅリング１５で固定する。これにより、１気筒分のサブアッシーが終わる。
【００３２】
（インプットシャフトアッシー手順）
６．インプットシャフトフロンド１ａに第１のインプットシャフトミドル１ｂを継ぐ（シャフト間の位相は不問）。
７．第２のインプットシャフトミドル１ｂを継ぐ（９０度の位相差になるように）。
８．第３のインプットシャフトミドル１ｂを継ぐ（１８０度の位相差になるように）。
９．インプットシャフトエンド１ｃを継ぐ（９０度の位相差になるように）
【００３３】
（キャリアへの組み付けとコントロールシャフトアッシー手順）
１０．コントロールシャフトアッシーをカムキャリヤ２２へ搭載する。
１１．軸受キャップ２３を組み付ける（ボルト締結）。
１２．カムキャリア２２をひっくり返して、インプットシャフトアッシーを載せる。
１３．コントロールシャフト６のコントロールアーム５，５間にコントロールアームリンク７を入れる
１４．コントロールアームピン１３を差し込み、該コントロールアームピンの先端をｅリング１５で固定する。
【００３４】
（シリンダヘッドへの組み付け手順）
１５．シリンダヘッド２１にカムキャリヤ２２を搭載する。
１６．モータアッシーを取り付ける。
【００３５】
この可変動弁装置は、組み付け後、気筒単位でバルブリフト量のバラツキをチェックし、バラツキがあれば、カムシャフトリンク８の長さを変えてバルブリフト量をそろえるようにするのがよい。
【００３６】
なお、本発明は、上記実施形態に限るものではなく、インプットシャフトアッシーの支持を、アッパーおよびロアからなるカムキャリアで行うようにするなど、様々な実施形態が可能である。
【図面の簡単な説明】
【００３７】
【図１】本発明の実施の形態に係る可変動弁装置の１気筒対応分の斜視図である。
【図２】本発明の実施の形態に係る可変動弁装置の全体斜視図である。
【図３】本発明の実施の形態に係る可変動弁装置のインプットシャフトの斜視図である。
【図４】本発明の実施の形態に係る可変動弁装置のインプットシャフトの展開斜視図である。
【図５】本発明の実施の形態に係る可変動弁装置のインプットシャフトアッシーの部品群を示すもので、インプットシャフトフロントの斜視図（ａ）、インプットミドルの斜視図（ｂ）、アウトプットカムの斜視図（ｃ）である。
【図６】本発明の実施の形態に係る可変動弁装置のコンロッドアッシーの部品群を示すもので、コンロッドの斜視図（ａ）、コンロッドキャップの斜視図（ｂ）、ブッシュの斜視図（ｃ）、半割りメタルの斜視図（ｄ）、ボルトの斜視図（ｅ）である。
【図７】本発明の実施の形態に係る可変動弁装置のコントロールシャフトアッシーの部品群を示すもので、コントロールシャフトの斜視図（ａ）、コントロールアームリンクアッシーの斜視図（ｂ）、コントロールアームピンの斜視図（ｃ）である。
【図８】本発明の実施の形態に係る可変動弁装置のその他の部品群を示すもので、コンロッドピンの斜視図（ａ）、ｅリングの斜視図（ｂ）、カムシャフトリンクアッシーの斜視図（ｃ）である。
【図９】本発明の実施の形態に係る可変動弁装置のエンジンに組み付けた状態の断面図である。
【符号の説明】
【００３８】
１  インプットシャフト（インプットシャフトアッシー）
１ａ  インプットシャフトフロント
１ｂ  インプットシャフトミドル
１ｃ  インプットシャフトエンド
２  偏心ピン部
３  アウトプットカム
４  コンロッド（コンロッドアッシー）
５  コントロールアーム
６  コントロールシャフト（コントロール軸）
７  コントロールアームリンク（コントロールリンクアッシー）
８  カムシャフトリンク（カムシャフトリンクアッシー）
１１、１２  軸部
２１  シリンダヘッド
２２  カムキャリア
３０  円筒部
３１，３２  カム部
３４  ピン部
７１  筒部
７２  二又脚部
【図１】
2009085153.tif 000003
【図２】
2009085153.tif 000004
【図３】
2009085153.tif 000005
【図４】
2009085153.tif 000006
【図５】
2009085153.tif 000007
【図６】
2009085153.tif 000008
【図７】
2009085153.tif 000009
【図８】
2009085153.tif 000010
【図９】
2009085153.tif 000011